(57)【要約】【課題】  汎用性の高いハードウェハ資源の場合においても画像表示において支障の少ない画像表示装置を提供することを目的とする。【解決手段】  表示命令コマンドバッファ４を動画像用（動画像用コマンドバッファ４ａ）と静止画像用（静止画像用コマンドバッファ４ｂ）とに互いに区別して備え、選択部７が選択した方の表示命令コマンドに基づいて、その表示命令コマンドに対応した画像の表示を行うので、支障が生じない、あるいは支障の少ないコマンド選択を行うことが可能になる。その結果、汎用性の高いハードウェハ資源の場合においても画像表示において支障を低減させることができる。【選択図】        図１
2006235495.tif 000002
【特許請求の範囲】
【請求項１】
画面を複数の領域に分割して、各分割された領域の一方に各画像を逐次に出力表示することで動画像として表示するとともに、前記動画像として逐次に出力表示される時間よりも長い時間で各分割された領域の他方に画像を出力表示することで静止画像として表示する画像表示装置において、画像を出力表示する命令である表示命令コマンドについて前記動画像用の表示命令コマンドを記憶する動画像用コマンド記憶手段と前記静止画像用の表示命令コマンドを記憶する静止画像用コマンド記憶手段とを互いに区別して備えるとともに、各記憶手段にそれぞれ記憶された各表示命令コマンドのうち、所定の条件にしたがっていずれか一方の表示命令コマンドを選択して記憶手段からの読み出しを行うコマンド選択手段を備え、そのコマンド選択手段によって画像表示を制御することを特徴とする画像表示装置。
【請求項２】
請求項１に記載の画像表示装置において、前記コマンド選択手段は、所定の条件のみ前記静止画像用の表示命令コマンドを選択するとともに、それ以外の条件では前記動画像用の表示命令コマンドを優先的に選択することを特徴とする画像表示装置。
【請求項３】
請求項２に記載の画像表示装置において、前記所定の条件は、前記動画像用の表示命令コマンドが優先的に選択されたときにおける前記静止画像用の表示命令コマンドの待機回数が所定の回数を超えた条件であって、静止画像用の表示命令コマンドが所定の回数を超えて待機すると前記コマンド選択手段は静止画像用の表示命令コマンドを選択することを特徴とする画像表示装置。
【請求項４】
請求項２に記載の画像表示装置において、前記所定の条件は、前記動画像用の表示命令コマンドが優先的に選択されたときにおける前記静止画像用の表示命令コマンドの待機時間が所定の時間を超えた条件であって、静止画像用の表示命令コマンドが所定の時間を超えて待機すると前記コマンド選択手段は静止画像用の表示命令コマンドを選択することを特徴とする画像表示装置。
【請求項５】
請求項２に記載の画像表示装置において、前記所定の条件は、画像に対する所定の操作の条件であって、その所定の操作の条件のみ前記コマンド選択手段は静止画像用の表示命令コマンドを選択することを特徴とする画像表示装置。
【請求項６】
請求項１から請求項５のいずれかに記載の画像表示装置において、前記所定の条件を変更する条件変更手段を備え、その条件変更手段によって画像表示の態様の変更を制御することを特徴とする画像表示装置。
【発明の詳細な説明】
【技術分野】
【０００１】
この発明は、画面に画像を出力表示することで画像を表示する画像表示装置に係り、特に、画面を複数の領域に分割して、各分割された領域の一方に動画像を表示するとともに、各分割された領域の他方に静止画像を表示する技術に関する。
【背景技術】
【０００２】
画像表示装置としては、例えばディジタル動画像表示装置があり、医用技術で例えばＸ線透視装置やＣ型アーム透視台などに用いられ、その他の技術では例えば非破壊検査装置などに用いられる。従来、Ｘ線透視装置やＣ型アーム透視台では、画面を２分割にした領域のうち、一方に各画像を逐次に出力表示（例えば１／３０秒ごとに出力表示）することで動画像として表示するとともに、動画像として逐次に出力表示される時間よりも長い時間で他方に画像を出力表示することで静止画像として表示する。このように動画像と静止画像とを１つの画面に並べて表示して、それらを比較しながら静止画像のコントラストや位置を調整することが求められる。
【０００３】
動画像を表示する場合には、上述したように逐次に出力表示するので、静止画像と比較すると表示するための計算量が多くて表示処理が多くなる。そこで、動画像を表示しながら静止画像の調整を柔軟に行うために、従来では高速の専用のハードウェアが必要である。
【発明の開示】
【発明が解決しようとする課題】
【０００４】
しかし、高速の専用のハードウェアがなく汎用のハードウェアを用いて動画像と静止画像とを１つの画面に並べて表示する場合には、画像表示において支障が生じる。具体的に図４を参照して説明する。図４は、従来の画像表示装置の概略構成を示すブロック図である。従来では、図４に示すように、動画像用の画像データについて各種の処理を行う動画像用の処理部１０１と、静止画像用の画像データについて各種の処理を行う静止画像用の処理部１０２とを備えている。この他に、各処理部１０１，１０２でそれぞれ処理された各画像を出力表示するモニタ１０３と、モニタ１０３に画像を出力表示する命令である表示命令コマンドを記憶する表示命令コマンドバッファ１０４と、画像表示装置を構成する各部分を統括制御する制御部１０５と、制御部１０５に上述した表示命令コマンドなどを入力操作する操作部１０６とを備えている。
【０００５】
オペレータが画像に対する表示指令を操作部１０６に入力操作すると、表示命令コマンドとして出力され、制御部１０５を介して表示命令コマンドバッファ１０４に記憶される。表示命令コマンドバッファ１０４から読み出された表示命令コマンドに基づいて各処理部１０１，１０２でそれぞれ処理された各画像がモニタ１０３に出力表示される。なお、モニタ１０５は、上述したように動画像と静止画像とを１つの画面に並べて表示するように構成されている。動画像用の表示命令コマンドの場合には、表示命令コマンドバッファ１０４から読み出された動画像用の表示命令コマンドに基づいて、動画像用の処理部１０１で処理された動画像がモニタ１０３に新たに出力表示される。静止画像用の表示命令コマンドの場合には、表示命令コマンドバッファ１０４から読み出された静止画像用の表示命令コマンドに基づいて、静止画像用の処理部１０２で処理された動画像がモニタ１０３に新たに出力表示される。
【０００６】
高速の専用のハードウェアを用いる場合には、図４に示す画像表示装置を構成する各部分の動作速度が、各画像を逐次に出力表示することで得られる動画像の表示速度（例えば１フレーム／３０秒）よりも速いので、動画像用の表示命令コマンドと静止画像用の表示命令コマンドとを両方選択しても、モニタ１０５での出力表示に余裕がある。しかし、汎用のハードウェアを用いる場合には、動作速度が動画像の表示速度と同程度であるので、無作為で各表示命令コマンドを選択して、表示命令コマンドバッファ１０４からコマンドの読み出しを行うと動画像または静止画像の少なくともいずれか一方の画像表示において支障が生じる。
【０００７】
この発明は、このような事情に鑑みてなされたものであって、汎用性の高いハードウェハ資源の場合においても画像表示において支障の少ない画像表示装置を提供することを目的とする。
【課題を解決するための手段】
【０００８】
この発明は、このような目的を達成するために、次のような構成をとる。
すなわち、請求項１に記載の発明は、画面を複数の領域に分割して、各分割された領域の一方に各画像を逐次に出力表示することで動画像として表示するとともに、前記動画像として逐次に出力表示される時間よりも長い時間で各分割された領域の他方に画像を出力表示することで静止画像として表示する画像表示装置において、画像を出力表示する命令である表示命令コマンドについて前記動画像用の表示命令コマンドを記憶する動画像用コマンド記憶手段と前記静止画像用の表示命令コマンドを記憶する静止画像用コマンド記憶手段とを互いに区別して備えるとともに、各記憶手段にそれぞれ記憶された各表示命令コマンドのうち、所定の条件にしたがっていずれか一方の表示命令コマンドを選択して記憶手段からの読み出しを行うコマンド選択手段を備え、そのコマンド選択手段によって画像表示を制御することを特徴とするものである。
【０００９】
［作用・効果］請求項１に記載の発明によれば、画像表示装置では、画面を複数の領域に分割して、各分割された領域の一方に各画像を逐次に出力表示することで動画像として表示するとともに、その動画像として逐次に出力表示される時間よりも長い時間で各分割された領域の他方に画像を出力表示することで静止画像として表示する。このような画像表示装置は以下の様な手段を備えて、動画像および静止画像について画像表示を制御する。すなわち、画像を出力表示する命令である表示命令コマンドについて動画像用の表示命令コマンドを記憶する動画像用コマンド記憶手段と静止画像用の表示命令コマンドを記憶する静止画像用コマンド記憶手段とを互いに区別して備える。そして、各記憶手段にそれぞれ記憶された各表示命令コマンドのうち、所定の条件にしたがっていずれか一方の表示命令コマンドを選択して記憶手段からの読み出しを行うコマンド選択手段を備える。このように、記憶手段を動画像用と静止画像用とに互いに区別して備え、コマンド選択手段が選択した方の表示命令コマンドに基づいて、その表示命令コマンドに対応した画像の表示を行うので、支障が生じない、あるいは支障の少ないコマンド選択を行うことが可能になる。その結果、汎用性の高いハードウェハ資源の場合においても画像表示において支障を低減させることができる。
【００１０】
上述した発明において、コマンド選択の一例は、コマンド選択手段は、所定の条件のみ静止画像用の表示命令コマンドを選択するとともに、それ以外の条件では動画像用の表示命令コマンドを優先的に選択することである（請求項２に記載の発明）。動画像を表示する場合には、各画像を逐次に出力表示するので、静止画像と比較すると表示するための計算量が多くて表示処理が多くなる。その一方で、全てにおいて動画像用の表示命令コマンドを優先的に選択して動画像を表示すると、静止画像用の表示命令コマンドが選択されずに静止画像が表示されなくなる。そこで、上述したように、所定の条件のみ静止画像用の表示命令コマンドを選択するとともに、それ以外の条件では動画像用の表示命令コマンドを優先的に選択し、その所定の条件と静止画像を表示したい条件とを一致させることで、動画像を優先的に表示しつつ、静止画像を表示することができる。
【００１１】
所定の条件の一例は、静止画像用の表示命令コマンドが出力され、その表示命令コマンドが静止画像用コマンド記憶手段に記憶されたときの条件であって、静止画像用コマンド記憶手段に記憶されたときにコマンド選択手段は静止画像用の表示命令コマンドを選択することである。この場合には、静止画像の表示操作に合わせて静止画像用の表示命令コマンドが出力されて、静止画像が表示されるので、静止画像の表示を滞りなく行うことができる利点がある。
【００１２】
また、所定の条件の他の一例は、動画像用の表示命令コマンドが動画像用コマンド記憶手段に記憶されておらず、かつ動画像用の表示命令コマンドが出力されていないときの条件であって、動画像用の表示命令コマンドが出力されていないときにコマンド選択手段は静止画像用の表示命令コマンドを選択することである。この場合には、静止画像の表示操作による静止画像用の表示命令コマンドの出力に関わらず動画像の表示を最優先にするので、動画像の表示を滞りなく行うことができる利点がある。
【００１３】
前者の一例の場合には、静止画像の表示を滞りなく行うことができるが、静止画像の表示の間は動画像の表示において支障が生じる恐れがある。また、後者の一例の場合には、動画像の表示を最優先にして動画像の表示を滞りなく行うことができるが、動画像の表示の間は静止画像の表示において支障が生じる恐れがある。その結果、静止画像の表示に関する操作性が悪くなる恐れがある。そこで、両者の間をとるような所定の条件が好ましい。
【００１４】
所定の条件の好ましい一例は、動画像用の表示命令コマンドが優先的に選択されたときにおける静止画像用の表示命令コマンドの待機回数が所定の回数を超えた条件であって、静止画像用の表示命令コマンドが所定の回数を超えて待機するとコマンド選択手段は静止画像用の表示命令コマンドを選択することである（請求項３に記載の発明）。
【００１５】
また、所定の条件の好ましい他の一例は、動画像用の表示命令コマンドが優先的に選択されたときにおける静止画像用の表示命令コマンドの待機時間が所定の時間を超えた条件であって、静止画像用の表示命令コマンドが所定の時間を超えて待機するとコマンド選択手段は静止画像用の表示命令コマンドを選択することである（請求項４に記載の発明）。
【００１６】
また、所定の条件の好ましいさらなる他の一例は、画像に対する所定の操作の条件であって、その所定の操作の条件のみコマンド選択手段は静止画像用の表示命令コマンドを選択することである（請求項５に記載の発明）。
【００１７】
これらの所定の条件の場合（請求項３〜５に記載の発明）には、静止画像の表示の必要性が高くなったときあるいは高いときを所定の条件とすると、静止画像用の表示命令コマンドが所定の回数（請求項３に記載の発明）や時間（請求項４に記載の発明）を超えて待機するまでは、あるいは画像に対する所定の操作の条件以外（請求項５に記載の発明）のときは、静止画像の表示の必要性が低いので、その間に動画像の表示を滞りなく行うことができる。そして、静止画像用の表示命令コマンドが所定の回数や時間を超えて待機されると、あるいは画像に対する所定の操作の条件のみのとき、コマンド選択手段が静止画像用の表示命令コマンドを選択して静止画像の表示を行うことで、静止画像の表示の必要性が高くなったときあるいは高いときに静止画像の表示を滞りなく行うことができる。
【００１８】
これらの発明において、上述した所定の条件を変更する条件変更手段を備え、その条件変更手段によって画像表示の態様の変更を制御するのが好ましい。条件変更手段が所定の条件を変更可能にすることで、動画や静止画像の表示頻度を自在に変更することができ、画像表示の態様の変更を柔軟に制御することができる。
【発明の効果】
【００１９】
この発明に係る画像表示装置によれば、記憶手段を動画像用と静止画像用とに互いに区別して備え、コマンド選択手段が選択した方の表示命令コマンドに基づいて、その表示命令コマンドに対応した画像の表示を行うので、支障が生じない、あるいは支障の少ない選択を行うことが可能になる。その結果、汎用性の高いハードウェハ資源の場合においても画像表示において支障を低減させることができる。
【実施例】
【００２０】
以下、図面を参照してこの発明の実施例を説明する。
図１は、実施例に係る画像表示装置の概略構成を示すブロック図であり、図２は、モニタの画面を２分割したときの各画像の一態様を示す概略図であり、図３は、各画像を表示する一連の流れを示したフローチャートである。本実施例では、画像表示装置として、例えばＸ線透視装置やＣ型アーム透視台などの医用技術で用いられるディジタル動画像表示装置を例に採って説明する。
【００２１】
本実施例に係る画像表示装置は、図１に示すように、動画像用の画像データについて各種の処理を行う動画像用の処理部１と、静止画像用の画像データについて各種の処理を行う静止画像用の処理部２とを備えている。動画像用／静止画像用の各画像データは、Ｘ線管（図示省略）から被検体（図示省略）に向けて照射されてＸ線をイメージインテンシファイアやフラットパネル型Ｘ線検出器などのＸ線検出手段（図示省略）が検出して、得られたＸ線検出信号である。各処理部１，２では、Ｘ線検出信号をアナログからディジタル化したり、欠損画素に関するＸ線検出信号を周囲の画素に関するＸ線検出信号に置換あるいは周囲の画素に関するＸ線検出信号の平均値に補間したり、Ｘ線検出信号を増幅したり等の透視画像を表示するための各処理を行う。
【００２２】
この他に、本実施例装置は、各処理部１，２でそれぞれ処理された各画像を出力表示するモニタ３と、モニタ３に画像を出力表示する命令である表示命令コマンドを記憶する表示命令コマンドバッファ４と、画像表示装置を構成する各部分を統括制御する制御部５と、制御部５に上述した表示命令コマンドなどを入力操作する操作部６とを備えている。本実施例では、表示命令コマンドバッファ４は、動画像用の表示命令コマンドを記憶する動画像用コマンドバッファ４ａと、静止画像用の表示命令コマンドを記憶する静止画像用コマンドバッファ４ｂとを互いに区別して備えている。制御部５は、中央演算処理装置（ＣＰＵ）などで構成されており、動画像用／静止画像用コマンドバッファ４ａ，４ｂは、ＲＡＭ（Random-Access Memory）などに代表される記憶媒体などで構成されている。また、操作部６は、マウスやキーボードやジョイスティックやトラックボールやタッチパネルなどに代表されるポインティングデバイスで構成されている。動画像用コマンドバッファ４ａは、この発明における動画像用コマンド記憶手段に相当し、静止画像用コマンドバッファ４ｂは、この発明における静止画像用コマンド記憶手段に相当する。
【００２３】
本実施例では、制御部５は選択部７を備えている。選択部７は、各バッファ４ａ，４ｂにそれぞれ記憶された各表示命令コマンドのうち、所定の条件にしたがっていずれか一方の表示命令コマンドを選択してバッファ４ａ，４ｂからの読み出しを行う。本実施例での選択部７の具体的な機能、および本実施例での所定の条件については、図３のフローチャートで後述する。選択部７は、この発明におけるコマンド選択手段に相当する。
【００２４】
モニタ３は、１つの画面を複数の領域に分割して、各分割された領域の一方に動画像を表示するとともに、各分割された領域の他方に静止画像を表示する。本実施例では、画面を２分割している。この２分割した一態様は、図２に示すとおりである。紙面からみて図２の左側の領域３ａに各画像を逐次に出力表示（例えば１／３０秒ごとに出力表示）することで動画像として表示する。その動画像として逐次に出力表示される時間よりも長い時間で、紙面からみて図２の右側の領域３ｂに画像を出力表示することで静止画像として表示する。つまり、左側の領域３ａで動画像を表示しながら、右側の領域３ｂで静止画像である別の画像を操作部６によって操作する。静止画像の操作で行われる処理の例として、コントラスト変更、拡大・縮小、パニングなどが挙げられる。
【００２５】
コントラスト変更は、モニタ３に再生表示された画像の各画素を変更することで行われる。パニングは、拡大された画像やモニタ３に再生表示された画像がモニタ３に全部表示されないとき、画像の位置を移動させながら調整を行うことで行われる。なお、静止画像の場合には、静止画像用の処理部２で処理された静止画像について複数の画像を、図示を省略する記憶媒体に一旦記憶して、その記憶媒体から読み出してモニタ３に再生表示する。動画像の場合には、静止画像のときと同様に動画像用の処理部１で処理された動画像について複数の画像を、記憶媒体に一旦記憶して、その記憶媒体から読み出してモニタ３にまとめて再生表示してもよいし、Ｘ線検出手段（図示省略）で検出することで得られたＸ線検出信号に基づいて動画像用の処理部１で処理されて逐次に得られた各画像をモニタ３に直接的に表示することで、リアルタイムでモニタ３に表示してもよい。このように動画像と静止画像とを１つの画面に並べて表示して、それらを比較しながら静止画像のコントラストや位置を調整する。
【００２６】
次に、選択部７の具体的な機能を含めて、各画像を表示する一連の流れについて図３を参照して説明する。
【００２７】
オペレータが画像に対する表示指令を操作部６に入力操作すると、表示命令コマンドとして出力され、制御部５を介して動画像用／静止画像用コマンドバッファ４ａ，４ｂにそれぞれ記憶される。各バッファ４ａ，４ｂからそれぞれ読み出された表示命令コマンドに基づいて各処理部１，２でそれぞれ処理された各画像がモニタ３に出力表示される。
【００２８】
動画像の場合には、画像に対する表示指令を操作部６に一度入力操作すると、モニタ３の左側の領域３ａ（図２を参照）に各画像が逐次に出力表示される。したがって、動画像の表示中、動画像に関する表示指令をオペレータは操作部６に入力操作する必要はない。なお、動画像の表示中、各画像を逐次に出力表示する数だけ、操作部６から制御部５を介して、動画像用の表示命令コマンドが動画像用コマンドバッファ４ａに逐次に記憶される。静止画像の場合には、静止画像の操作で行われる処理（コントラスト変更、拡大・縮小、パニング）を行いたいときに、画像に対する表示指令を操作部６に入力操作すると、モニタ３の右側の領域３ｂ（図２を参照）に処理後の静止画像が出力表示される。したがって、上述した処理を行うときのみ、操作部６から制御部５を介して、静止画像用の表示命令コマンドが静止画像用コマンドバッファ４ｂに記憶される。
【００２９】
（ステップＳ１）両バッファに各コマンドが記憶？
動画像用／静止画像用コマンドバッファ４ａ，４ｂに動画像用／静止画像用の表示命令コマンドがそれぞれ記憶されているか否かを選択部７が判断する。もし、両バッファ４ａ，４ｂに各コマンドが記憶されておらず、いずれか一方のバッファ４ａ，４ｂのみにコマンドが記憶されて、他方のバッファ４ａ，４ｂにコマンドが記憶されていない場合には、ステップＳ２に進む。両バッファ４ａ，４ｂともに各コマンドがそれぞれ記憶されている場合には、ステップＳ５に進む。なお、両バッファ４ａ，４ｂともに各コマンドが記憶されていない場合には、少なくともいずれか一方のバッファ４ａ，４ｂにコマンドが記憶されるまで待機する。
【００３０】
（ステップＳ２）動画像用コマンドバッファにコマンドが記憶？
いずれか一方のバッファ４ａ，４ｂのみにコマンドが記憶されている場合において、動画像用コマンドバッファ４ａに動画像用の表示命令コマンドが記憶されているか否かを選択部７が判断する。もし、動画像用コマンドバッファ４ａに動画像用の表示命令コマンドが記憶されている場合には、ステップＳ３に進む。もし、静止画像用コマンドバッファ４ｂに静止画像用の表示命令コマンドが記憶されている場合には、ステップＳ４に進む。
【００３１】
（ステップＳ３）そのコマンドを選択
動画像用コマンドバッファ４ａに動画像用の表示命令コマンドが記憶されている場合には、そのコマンドを選択部７が選択して動画像用コマンドバッファ４ａから読み出しを行う。そして、読み出された動画像用の表示命令コマンドに基づいて動画像をモニタ３に表示する。そして、ステップＳ７に進む。
【００３２】
（ステップＳ４）静止画像用のコマンドを選択／カウントを“０”
静止画像用コマンドバッファ４ｂに静止画像用の表示命令コマンドが記憶されている場合には、そのコマンドを選択部７が選択して静止画像用コマンドバッファ４ｂから読み出しを行う。そして、読み出された静止画像用の表示命令コマンドに基づいて処理（コントラスト変更、拡大・縮小、パニング）後の静止画像をモニタ３に表示する。この選択時に、カウンタ（図示省略）のカウントを“０”にする。このカウンタのカウントは、後述する説明から明らかなように、動画像用の表示命令コマンドが優先的に選択されたときにおける静止画像用の表示命令コマンドの待機回数を示す。そして、ステップＳ７に進む。
【００３３】
（ステップＳ５）カウントがしきい値以上？
一方、ステップＳ１で両バッファ４ａ，４ｂともに各コマンドがそれぞれ記憶されていると判断した場合には、上述したカウントが予め定められたしきい値以上であるか否かを選択部７が判断する。もし、しきい値以上である場合には、ステップＳ４に戻る。しきい値未満である場合には、ステップＳ６に進む。このしきい値のカウントは、この発明における所定の回数に相当する。
【００３４】
（ステップＳ６）動画像用のコマンドを選択／カウントを“１”増やす
カウントがしきい値未満である場合には、動画像用の表示命令コマンドを選択部７が選択して動画像用コマンドバッファ４ａから読み出しを行う。そして、読み出された動画像用の表示命令コマンドに基づいて動画像をモニタ３に表示する。この選択時に、静止画像用コマンドバッファ４ｂにも静止画像用の表示命令コマンドが記憶されているにも関わらず、動画像用コマンドバッファ４ａに記憶された動画像用の表示命令コマンドが優先的に選択されるので、静止画像用の表示命令コマンドが静止画像用コマンドバッファ４ｂで待機することになる。そこで、この選択時で静止画像用の表示命令コマンドが１回分新たに待機したとして、カウンタのカウントを“１”増やす。そして、ステップＳ７に進む。
【００３５】
（ステップＳ７）表示を続行？
モニタ３で各画像を表示するか否かを制御部５が判断する。もし、オペレータが画像に対する表示指令として終了指令を操作部６に入力操作すると、終了に関する表示命令コマンドとして出力され、制御部５を介してモニタ３での表示終了を指示する。そして、一連のステップを終了する。もし、表示を続行する場合には、ステップＳ１に戻って、一連のステップを繰り返す。
【００３６】
以上のステップをまとめると、下記のようになる。すなわち、ステップＳ１で動画像用／静止画像用コマンドバッファ４ａ，４ｂに動画像用／静止画像用の表示命令コマンドがそれぞれ記憶されていて、かつステップＳ５でカウントがしきい値未満の場合には、ステップＳ６で動画像用コマンドバッファ４ａに記憶された動画像用の表示命令コマンドを優先的に選択する。したがって、ステップＳ６では静止画像用の表示命令コマンドが静止画像用コマンドバッファ４ｂで待機することになる。そこで、ステップＳ６でカウントを“１”増やすことで静止画像用の表示命令コマンドが１回分新たに待機したと表す。
【００３７】
ステップＳ１でいずれか一方のバッファ４ａ，４ｂのみにコマンドが記憶されていて、かつステップＳ２で静止画像用コマンドバッファ４ｂに静止画像用の表示命令コマンドが記憶されている場合には、ステップＳ４で静止画像用コマンドバッファ４ｂに記憶された静止画像用の表示命令コマンドを選択する。このようなステップＳ１→Ｓ２→Ｓ４のケースの場合には、静止画像用の表示命令を待機させる必要がない。また、ステップＳ１で両バッファ４ａ，４ｂともに各コマンドがそれぞれ記憶されていて、かつステップＳ５でしきい値未満の場合にも、ステップＳ４で静止画像用コマンドバッファ４ｂに記憶された静止画像用の表示命令コマンドを選択する。このようなステップＳ１→Ｓ５→Ｓ４のケースの場合には、所定のしきい値を超えて静止画像用の表示命令コマンドが待機したとして、それまでの待機状態をキャンセルする。そこで、ステップＳ４でカウントを“０”にすることで次に待機するときに備える。
【００３８】
ステップＳ１でいずれか一方のバッファ４ａ，４ｂのみにコマンドが記憶されていて、かつステップＳ２で動画像用コマンドバッファ４ａに動画像用の表示命令が記憶されている場合には、ステップＳ３でそのコマンドを選択する。この場合には、静止画像用の表示命令コマンドの待機状態に影響を受けない。したがって、カウントも増減させずに現在のカウントの値を維持する。
【００３９】
以上のように構成された本実施例装置によれば、モニタ３の画面を複数（本実施例では２つ）の領域に分割して、各分割された領域の一方（本実施例では左側の領域３ａ）に各画像を逐次に出力表示することで動画像として表示するとともに、その動画像として逐次に出力表示される時間よりも長い時間で各分割された領域の他方（本実施例では右側の領域３ｂ）に画像を出力表示することで静止画像として表示する。このような本実施例装置は上述したバッファ４ａ，４ｂや選択部７を備えて、動画像および静止画像について画像表示を制御する。すなわち、画像を出力表示する命令である表示命令コマンドについて動画像用の表示命令コマンドを記憶する動画像用コマンドバッファ４ａと静止画像用の表示命令コマンドを記憶する静止画像用コマンドバッファ４ｂとを互いに区別して備える。そして、各バッファ４ａ，４ｂにそれぞれ記憶された各表示命令コマンドのうち、所定の条件にしたがっていずれか一方の表示命令コマンドを選択してバッファ４ａ，４ｂからの読み出しを行う選択部７を備える。このように、表示命令コマンドバッファ４を動画像用（動画像用コマンドバッファ４ａ）と静止画像用（静止画像用コマンドバッファ４ｂ）とに互いに区別して備え、選択部７が選択した方の表示命令コマンドに基づいて、その表示命令コマンドに対応した画像の表示を行うので、支障が生じない、あるいは支障の少ないコマンド選択を行うことが可能になる。その結果、汎用性の高いハードウェハ資源の場合においても画像表示において支障を低減させることができる。
【００４０】
本実施例では、所定の条件のみ静止画像用の表示命令コマンドを選択するとともに、それ以外の条件では動画像用の表示命令コマンドを優先的に選択している。動画像を表示する場合には、各画像を逐次に出力表示するので、静止画像と比較すると表示するための計算量が多くて表示処理が多くなる。その一方で、全てにおいて動画像用の表示命令コマンドを優先的に選択して動画像を表示すると、静止画像用の表示命令コマンドが選択されずに静止画像が表示されなくなる。そこで、上述したように、所定の条件のみ静止画像用の表示命令コマンドを選択するとともに、それ以外の条件では動画像用の表示命令コマンドを優先的に選択し、その所定の条件と静止画像を表示したい条件とを一致させることで、動画像を優先的に表示しつつ、静止画像を表示することができる。
【００４１】
本実施例では、所定の条件は、動画像用の表示命令コマンドが優先的に選択されたときにおける静止画像用の表示命令コマンドの待機回数（すなわちカウント）が所定の回数（すなわちしきい値）を超えた条件であって、静止画像用の表示命令コマンドが所定の回数を超えて待機すると選択部７は静止画像用の表示命令コマンドを選択する（ステップＳ５，Ｓ４を参照）。
【００４２】
静止画像の表示の必要性が高くなったときを、本実施例のように静止画像用の表示命令コマンドが所定の回数（しきい値）を超えて待機したときとすると、そのしきい値未満では静止画像の表示の必要性が低いので、その間に動画像の表示を滞りなく行うことができる。そして、静止画像用の表示命令コマンドがしきい値を超えて待機されると、選択部７が静止画像用の表示命令コマンドを選択して静止画像の表示を行うことで、静止画像の表示の必要性が高くなったときに静止画像の表示を滞りなく行うことができる。
【００４３】
また、後述する変形例（５）の場合には、静止画像の表示を滞りなく行うことができるが、静止画像の表示の間は動画像の表示において支障が生じる恐れがある。また、後述する（６）の場合には、動画像の表示を最優先にして動画像の表示を滞りなく行うことができるが、動画像の表示の間は静止画像の表示において支障が生じる恐れがある。その結果、静止画像の表示に関する操作性が悪くなる恐れがある。そこで、変形例（５）、（６）の両者の間をとるような所定の条件として、本実施例では、動画像用の表示命令コマンドが優先的に選択されたときにおける静止画像用の表示命令コマンドの待機回数が所定の回数（しきい値）を超えた条件を採用している。
【００４４】
この発明は、上記実施形態に限られることはなく、下記のように変形実施することができる。
【００４５】
（１）上述した実施例では、Ｘ線透視装置やＣ型アーム透視台などの医用技術に用いられる装置として説明したが、例えば非破壊検査装置などのように、その他の技術に適用してもよい。
【００４６】
（２）上述した実施例では、画面を２分割して、分割されたそれぞれに動画像および静止画像を表示したが、画面を３つ以上の複数の領域に分割して、各分割された領域の一方に動画像を表示するとともに、各分割された領域の他方に静止画像を表示してもよい。
【００４７】
（３）上述した実施例では、所定の条件が、動画像用の表示命令コマンドが優先的に選択されたときにおける静止画像用の表示命令コマンドの待機回数（カウント）が所定の回数を超えた条件であって、静止画像用の表示命令コマンドが所定の回数を超えて待機すると静止画像用の表示命令コマンドを選択したが、回数の替わりに時間を用いてもよい。すなわち、所定の条件が、動画像用の表示命令コマンドが優先的に選択されたときにおける静止画像用の表示命令コマンドの待機時間が所定の時間を超えた条件であって、静止画像用の表示命令コマンドが所定の時間を超えて待機すると静止画像用の表示命令コマンドを選択してもよい。この場合には、タイマなどの監視回路を設けて、静止画像用の表示命令コマンドが選択されるとタイマを“０”にクリアすることで実現することができる。
【００４８】
（４）上述した実施例では、所定の条件が、動画像用の表示命令コマンドが優先的に選択されたときにおける静止画像用の表示命令コマンドの待機回数（カウント）が所定の回数を超えた条件であって、静止画像用の表示命令コマンドが所定の回数を超えて待機すると静止画像用の表示命令コマンドを選択したが、回数の替わりに画像に対する所定の操作を用いてもよい。すなわち、所定の条件が、画像に対する所定の操作の条件であって、その所定の操作の条件のみ静止画像用の表示命令コマンドを選択してもよい。例えば、静止画像の拡大・縮小の操作の場合には、その処理の追従性が悪くても問題がないが、コントラスト変更の操作の場合には、その処理の追従性の良さが要求される。そこで、所定の操作の条件を、コントラスト変更の操作の条件として、そのコントラスト変更の操作のときのみ静止画像用の表示命令コマンドを選択し、それ以外の条件（拡大・縮小の操作の条件）では動画像用の表示命令コマンドを優先的に選択するとよい。
【００４９】
静止画像の表示の必要性が高いときを、画像に対する所定の操作（コントラスト変更）の条件とすると、それ以外の条件では静止画像の表示の必要性が低いので、その間に動画像の表示を滞りなく行うことができる。そして、上述した所定の条件のみ選択部７が静止画像用の表示命令コマンドを選択して静止画像の表示を行うことで、静止画像の表示の必要性が高いときに静止画像の表示を滞りなく行うことができる。
【００５０】
（５）上述した実施例および変形例（３）、（４）以外に、所定の条件は、静止画像用の表示命令コマンドが出力され、その表示命令コマンドが静止画像用コマンドバッファ４ｂに記憶されたときの条件であって、静止画像用コマンド４ｂに記憶されたときに静止画像用の表示命令コマンドを選択してもよい。この場合には、静止画像の表示操作に合わせて静止画像用の表示命令コマンドが出力されて、静止画像が表示されるので、静止画像の表示を滞りなく行うことができる利点がある。
【００５１】
（６）上述した実施例および変形例（３）、（４）以外に、所定の条件は、動画像用の表示命令コマンドが動画像用コマンドバッファ４ａに記憶されておらず、かつ動画像用の表示命令コマンドが出力されていないときの条件であって、動画像用の表示命令コマンドが出力されていないときに静止画像用の表示命令コマンドを選択してもよい。この場合には、静止画像の表示操作による静止画像用の表示命令コマンドの出力に関わらず動画像の表示を最優先にするので、動画像の表示を滞りなく行うことができる利点がある。
【００５２】
（７）上述した実施例および変形例（３）〜（６）では、所定の条件のみ静止画像用の表示命令コマンドを選択するとともに、それ以外の条件では動画像用の表示命令コマンドを優先的に選択したが、必ずしも動画像用の表示命令コマンドを優先的に選択する必要はない。例えば静止画像用の操作が多い場合や、動画像として各画像を逐次出力表示する数が少ない場合などには、所定の条件のみ動画像用の表示コマンドを選択するとともに、それ以外の条件では静止画像用の表示命令コマンドを優先的に選択してもよい。
【００５３】
（８）上述した実施例および各変形例における所定の条件を変更する条件変更部を備えてもよい。例えば、条件変更部を制御部５（図１を参照）に備え、オペレータが所定の条件を変更しようとして変更指令を操作部６（図１を参照）に入力操作すると、その変更指令を条件変更部に与え、その条件変更部によって画像表示の態様の変更を制御してもよい。もちろん、オペレータによる操作部６の入力操作以外にも、例えば動画像として各画像を逐次に出力表示する動画像の表示速度が変更したことを検出して、その検出結果を制御部５に送って、条件変更部が所定の条件を自動的に変更するように構成してもよい。
【００５４】
具体的な所定条件の変更としては、例えば、上述した実施例でのしきい値を自在に変更可能にすることで所定の条件を変更してもよいし、変形例（３）のように待機時間を自在に変更可能にすることで所定の条件を変更してもよいし、変形例（４）のように画像に対する所定の操作の条件を自在に変更可能にすることで所定の条件を変更してもよい。実施例を例に説明すると、動画像として各画像を逐次に出力表示する動画像の表示速度（例えば１フレーム／３０秒）を速くした場合には、動画像用の表示命令コマンドをより優先的に選択するのが好ましい。したがって、しきい値を高く設定することで静止画像用の表示命令コマンドが選択し難くなるようにする。また、それ以外にも、待機回数（カウント）を待機時間や画像に対する所定の操作の条件に変更可能にするなど、所定の条件を互いにカテゴリの異なる条件に変更してもよい。条件変更部は、この発明における条件変更手段に相当する。
【図面の簡単な説明】
【００５５】
【図１】実施例に係る画像表示装置の概略構成を示すブロック図である。
【図２】モニタの画面を２分割したときの各画像の一態様を示す概略図である。
【図３】各画像を表示する一連の流れを示したフローチャートである。
【図４】従来の画像表示装置の概略構成を示すブロック図である。
【符号の説明】
【００５６】
３  …  モニタ
３ａ  …  左側の領域
３ｂ  …  右側の領域
４  …  表示命令コマンドバッファ
４ａ  …  動画像用コマンドバッファ
４ｂ  …  静止画像用コマンドバッファ
７  …  選択部
【図１】
2006235495.tif 000003
【図２】
2006235495.tif 000004
【図３】
2006235495.tif 000005
【図４】
2006235495.tif 000006